(57)【要約】  【課題】  歩行の邪魔になることもなくゴミの排出も簡単かつ衛生的に行えるゴミ収容器を提供すること。【解決手段】    分離可能な第１本体１１と第２本体２１とを有しており、第１本体１１は、その側面または上面にゴミ投入口１３が形成されるとともに底面１４が開口されており、第２本体２１は、筒状に形成されており、その上部開口部２２が平面ファスナ２３を介して第１本体１１の開口部（１４）と取り外し可能に接続されるとともに、その下部開口部２４に底枠２５が装着されており、第２本体２１の底枠２５に、蝶番２６を介して一端部が接続され当該第２本体２１の下部開口部２４を開閉自在な底板２７を設け、第１本体１１の背面に、壁面６側の釘５１と係合して当該第１本体１１を当該壁面６に支持可能な穴１５を設ける。また、加えて、第２本体２１を洗濯可能な布製とする。【選択図】      図１
2009096636.tif 000002
【特許請求の範囲】
【請求項１】
分離可能な第１本体と第２本体とを有しており、
前記第１本体は、その側面または上面にゴミ投入口が形成されるとともに底部が開口されており、
前記第２本体は、筒状に形成されており、その上部開口部が平面ファスナを介して前記第１本体の開口部と取り外し可能に接続されるとともに、その下部開口部に底枠が装着されており、
前記第２本体の底枠に、ヒンジを介して一端部が接続され当該第２本体の下部開口部を開閉自在な底板を設け、
前記第１本体に、壁面側の固定係止部材と係合して当該第１本体を当該壁面に支持可能な本体側係止部材を設けたことを特徴とするゴミ収容器。
【請求項２】
前記第２本体が洗濯可能な布製とされた請求項１記載のゴミ収容器。
【請求項３】
有底筒状で上部にゴミ投入口が開口形成された本体を有し、
前記本体の背面に、建物の壁面の固定係合部材と係合して当該本体を当該壁面に掛けることが可能な係合部を儲け、
前記本体の底部の外面に、所定突出長さの糸尻を一体形成するとともに、当該糸尻の突出長さよりも突出量が短くて当該本体を吊り下げた状態で支持可能な指掛け部を設け、
前記本体の側面に、当該本体を吊り下げ支持可能な吊り具を設けたことを特徴とするゴミ収容器。
【発明の詳細な説明】
【技術分野】
【０００１】
本発明は、壁掛け型のゴミ収容器に関する。
【背景技術】
【０００２】
一般家庭には、少なくとも１個のゴミ収容器（プラスチック・金属・木製のゴミ箱）が備え付けられているのが普通である。これは、日常生活を営むに伴いゴミが出るからであるが、ゴミが出る都度ゴミ集積所に捨てに行くのは煩雑であるので、一旦ゴミ収容器に溜めておいて或る程度の分量になったらゴミ集積所に捨てに行くのが便宜だからである。
【０００３】
ここで、ゴミ収容器は床置きされるタイプのものが多い（例えば、特許文献１参照）。特許文献１に係るゴミ収容器は、ゴミを収容する本体を支持するフレームに車輪を付けて運搬しやすくしたものである。
【特許文献１】特開２００６−９６５３８号公報
【発明の開示】
【発明が解決しようとする課題】
【０００４】
ところで、特許文献１に係る発明のように床置きタイプのゴミ収容器では、人が歩く際の邪魔になりやすい。また、人の足が引っかかって倒されて中のゴミが床上に散乱してしまう。また、ゴミ収容器にゴミを押し込んだ場合、ゴミを排出する際に手を収容器の中に突っ込んでゴミを掴み出さなければならず、非常に厄介でかつ不衛生である。
【０００５】
また、ゴミ収容器は、ゴミと頻繁に接する箇所（内面等）は汚れるが清掃しにくいのでそのまま放置されることが多く、ゴミ収容器もインテリアの一つと考えた場合に美観上問題であるとともに悪臭を放つ原因ともなる。
【０００６】
本発明の目的は、歩行の邪魔になることもなくゴミの排出も簡単かつ衛生的に行えるゴミ収容器を提供することにある。また、加えて、汚れやすい箇所を洗濯して奇麗にすることができるゴミ収容器を提供することにある。さらに、歩行の邪魔になることもなく楽にゴミを投入することガで着るとともに、ゴミの排出も一層簡単かつ衛生的に行えるゴミ収容器を提供することにある。
【課題を解決するための手段】
【０００７】
請求項１の発明は、分離可能な第１本体と第２本体とを有しており、前記第１本体は、その側面または上面にゴミ投入口が形成されるとともに底部が開口されており、前記第２本体は、筒状に形成されており、その上部開口部が平面ファスナを介して前記第１本体の開口部と取り外し可能に接続されるとともに、その下部開口部に底枠が装着されており、前記第２本体の底枠に、ヒンジを介して一端部が接続され当該第２本体の下部開口部を開閉自在な底板を設け、前記第１本体に、壁面側の固定係止部材と係合して当該第１本体を当該壁面に支持可能な本体側係止部材を設けたことを特徴とするゴミ収容器である。
【０００８】
上記構成の請求項1の発明の場合、第１本体の本体側係止部材（例えば、当該本体の背面に形成された穴）を建物の壁面の固定係止部材（例えば釘）と係合させて当該第１本体を当該壁面に支持させれば、壁面の有効利用が図れる。また、歩行の際に邪魔にならず、足が引っかかって倒されてゴミが床上に散乱することはない。さらに、第２本体内に溜まったゴミを集積所等に排出する際は、その底板を開く方向に回動させて当該第２本体の下部開口部を開けば、ゴミは自重によって当該下部開口部から落下する。したがって、ゴミの排出が簡単で、かつ、手がゴミと触れることもなく衛生的である。
【０００９】
また、請求項２の発明は、前記第２本体が洗濯可能な布製とされた請求項１記載のゴミ収容器である。
【００１０】
上記構成の請求項２の発明の場合、第２本体は第１本体と比べてゴミによって汚れやすい箇所であるが、当該第２本体は第１本体と分離して洗濯できる。また、第２本体を布製としたので、外観がソフトであり、かつ、ゴミを詰め込んでも膨らむのでゴミが余計に入る。
【００１１】
請求項３の発明は、有底筒状で上部にゴミ投入口が開口形成された本体を有し、前記本体の背面に、建物の壁面の固定係合部材と係合して当該本体を当該壁面に掛けることが可能な係合部を儲け、前記本体の底部の外面に、所定突出長さの糸尻を一体形成するとともに、当該糸尻の突出長さよりも突出量が短くて当該本体を吊り下げた状態で支持可能な指掛け部を設け、前記本体の側面に、当該本体を吊り下げ支持可能な吊り具を設けたことを特徴とするゴミ収容器である。
【００１２】
上記した請求項２の場合、本体のゴミ投入口が人が屈まなくてもすむ高さの位置の壁部分に掛けておけば、人は楽にゴミを本体内に投入することができる。また、人が吊り具を片方の手で持ちながら本体の糸尻にもう一方の手を掛けて当該本体を引っくり返す（すなわち、ゴミ投入口が糸尻よりも下方になるようにする）と、当該本体内のゴミをゴミ投入口を介して所定のゴミ捨て場に向かって落とすこと（すなわち、排出すること）ができる。この際、本体からのゴミの出が悪くなった場合には、例えば指掛け部を持つ手を上下に振るなどすればゴミの出を再び良くすることができる。これにより、手を本体内へ突っ込んでゴミの出を良くするような、不衛生なことをしないですむ。
【発明の効果】
【００１３】
請求項１の発明によれば、歩行の邪魔になることもなくゴミの排出も簡単かつ衛生的に行うことができる。
【００１４】
請求項２の発明によれば、請求項１の発明と同様な効果を奏する他、汚れやすい第２本体を洗濯して奇麗にすることができる。また、第２本体は布製であるので、ゴミを詰め込んでも膨らむのでゴミを見た目以上に入れることができる。
【００１５】
請求項３の発明によれば、本体を壁面に掛けられるように構成し、当該本体の底部の外面に、糸尻を一体形成するとともに、当該本体を吊り下げた状態で支持可能な指掛け部を設け、本体の側面に、当該本体を吊り下げ支持可能な吊り具を設けた構成としたので、本体のゴミ投入口が人が屈まなくてもすむ高さの位置の壁部分に掛けておけば、人は楽にゴミを本体内に投入することができる。また、人が吊り具を片方の手で持ちながら本体の糸尻にもう一方の手を掛けて当該本体を引っくり返すと、ゴミで手を汚すことなく当該本体内のゴミをゴミ投入口を介して所定のゴミ捨て場に向かって排出することができる。本体からのゴミの出が悪くなった場合には、例えば指掛け部を持つ手を上下に振るなどすればゴミの出を再び良くすることができる。これにより、手を本体内へ突っ込んでゴミの出を良くするような、不衛生なことをしないですむ。
【発明を実施するための最良の形態】
【００１６】
（第１の実施の形態）以下、本発明の実施の形態を図面を参照しながら説明する。
【００１７】
本発明に係るゴミ収容器１０は、図１に示すように、分離可能な第１本体１１と第２本体２１とを有しており、図３に示す建物５の壁面６に掛ける壁掛けタイプのゴミ収容器であって、歩行の邪魔になることもなくゴミＧの排出も簡単かつ衛生的に行うことが可能な構成とされている。
【００１８】
以下、本ゴミ収容器１０の各構成要素について詳細に説明する。
【００１９】
まず、第１本体１１は、その前側の側面１２にゴミ投入口１３が形成されているとともに、その底面１４が開口されている。なお、第１本体１１の形状は任意である。例えば、第１本体１１が上面および側面を有する場合（四角箱状等）には、その上面にゴミ投入口を形成してもよい。また、第１本体１１の後ろの側面（背面）１２には、建物５の壁面６側の固定係止部材（この実施形態では釘５１）と係合して当該第１本体１１を支持する本体側係止部材である穴１５が形成されている。なお、本体側係止部材は、上記穴１５に限ることはなく、例えば釘５１を掛けることができるフック（図示省略）でもよい。また、この実施形態の場合は、第１本体１１は、金属製とされている。この第１本体１１を木製やプラスチック製としてもよい。
【００２０】
次に、第２本体２１は、四角筒状に形成されており、その上部開口部２２が平面ファスナ２３を介して第１本体１１の底部（開口部）１４と取り外し可能に接続されている。この実施形態では、第２本体２１は、洗濯が可能な布製とされている。また、平面ファスナ２３の一方構成要素２３ａは、第１本体１１の４つの側面１２の下部の外面に設けられており、当該ファスナ２３の他方構成要素２３ｂは第２本体２１の上部開口部２２の内面の縁部に沿って設けられている。この第２本体２１の下部開口部２４には、四角枠状の底枠２５が装着されている。第２本体２１の形状保持を強化するためである。また、第２本体２１の底枠２５には、ヒンジ（蝶番）２６を介して一端部が接続され当該第２本体２１の下部開口部２４を開閉自在な底板２７が設けられている。この実施形態では、底枠２５および底板２７はプラスチック製とされている。木製や金属製でもよい。底板２７の他端部の中央には、平面ファスナ２８の他方構成要素２８ｂが装着されている。この他方構成要素２８ｂに対応して、第２本体２１の側面の下部には当該平面ファスナ２８の一方構成要素２８ａが装着されている。
【００２１】
上記構成の本ゴミ収容器１０の場合、第１本体１１の背面（１２）に形成された穴１５を建物５の壁面６側の釘５１と係合させて当該第１本体１１を当該壁面６に支持させれば、壁面６の有効利用が図れる。また、建物５内を歩く人の邪魔にならず、足が引っかかって倒されてゴミＧが床上に散乱することはない。さらに、第２本体２１内に溜まったゴミＧをゴミ集積所等に排出する際は、本ゴミ収容器１０を壁面６から取り外してゴミ集積所等へ持って行く。そして、ゴミ収容器１０の第２本体２１と底板２７との係止を解除し（すなわち、平面ファスナ２８の他方構成要素２８ｂを一方構成要素２８ａから剥がして）、開く方向に回動させて当該第２本体２１の下部開口部２４を開く。そうすると、第２本体２１内のゴミＧは自重によって当該下部開口部２４から自然に落下する。なお、ゴミＧの落下が鈍いときは、本ゴミ収容器１０を二、三度上下に振ればゴミＧは円滑に落下するようになる。ゴミＧの排出が完了したら底板２７を閉じて平面ファスナ２８で第２本体２１に係止しておく。したがって、ゴミＧの排出が簡単で、かつ、手がゴミＧと触れることもなく衛生的である。
【００２２】
また、この実施形態では、第２本体２１が洗濯可能な布製とされているので、当該第２本体２１は第１本体１１と比べてゴミＧによって汚れやすい箇所であるが、当該第２本体２１は第１本体１１と分離して洗濯できる。また、第２本体２１を布製としたので、外観がソフトであり、かつ、ゴミＧを詰め込んでも膨らむのでゴミが余計に入る。
【００２３】
（第２の実施形態）
【００２４】
ゴミ収容器の第２の実施形態を図６〜図１３に示す。
【００２５】
第２のゴミ収容器は、図６および図７に示すように、有底筒状で上部にゴミ投入口１３Ａが開口形成された本体１１Ａを有している。
【００２６】
具体的には、本体１１Ａは、図７に示す壁面６に面する背面１１ｂが平面状に形成されており、その側面１１ｓが平面半円形状になるように形成されている。そして、本体１１Ａは、底部１７へ行くにしたがって窄まるように形成されている。本体１１Ａの背面１１ｂには、第１の実施形態と同様の穴１５が形成されており、図４に示す壁面６側の固定係止部材（釘５１）と係合して当該本体１１Ａが当該壁面６に掛けられるように構成されている。
【００２７】
本体１１Ａのゴミ投入口１３Ａは、ゴミＧを当該本体１１Ａ内に収容するための開口部である。この実施形態では、本体１１Ａのゴミ投入口１３Ａは、図９に示すように、前側からゴミＧを投入しやすいように前側に傾斜している。なお、本体１１Ａのゴミ投入口１３Ａを傾斜させずに例えば底部１７と平行になるように形成してもよい。この実施形態では、本体１１Ａの上部平面形状と略同等な開口面積を有するように形成されている。なお、図１０に示すように、本体１１Ａの上部開口部に蓋を設け、当該蓋に開口部（ゴミ投入口１３Ａ相当）を形成してもよい。また、図１１に示すように、ゴミ投入口１３Ａに蓋７１を設けて、当該投入口１３Ａを開閉できるように構成してもよい。この実施形態では、本体１１Ａは、プラスチック製とされている。なお、本体１１Ａは、ゴミＧを確実に収容しておくことができれば、素材は任意であり、例えば、金属製または木製としてもよい。また、繊維状の竹や籐などを編んで形成してもよい。蓋７１の素材も任意である。
【００２８】
このゴミ収容器１０Ａの本体１１Ａには、図７および図８に示すように、その底部１７の外面に外部に突出する糸尻１９が一体的に形成されており、当該底部１７の中央部には、手の指で保持できる指掛け部１８が設けられている。この指賭け部１８は、本体１１Ａを引っくり返した場合（すなわち、ゴミ投入口１３Ａが底部１７よりも下方になるように本体１１Ａをしたとき）に人が保持して当該本体１１Ａを支持できるようにする部材であり、その突出長さＬ２が糸尻１９の突出長さＬ１より短くなるように形成されている。したがって、仮に、何らかの理由で本体１１Ａを床面に置いた場合でも、指賭け部１８が糸尻１９よりも下方へ出ることはなく、当該本体１１Ａを当該糸尻１９を介して床面に安定しておくことができる。なお、指賭け部１８の形状は任意で、例えば図１４に示すように、先端が軸部よりも直径が大きい形状（いわゆるキノコ形）でもよい。
【００２９】
また、図９に示すように、ゴミ収容器１０Ａの側面１１ｓ上部には、吊り下げ用の吊り具６１がヒンジ６２を介して回動可能に設けられている。この実施形態では、吊り具６１は、平面視半円形状の本体側面１１ｓに倣って円弧状とされている。なお、図１３に示すように、吊り具６１の中間部分を係止可能なフック７５を本体側面１１ｓに設けてもよい。ここで、本ゴミ収容器１０Ａを壁面６から外して運ぶ際には、上記吊り具６１を手で持てば、本体１１ＡにゴミＧが詰まっていて重くなっていても楽に持ち運ぶことができる。なお、上記した指掛け部１８や吊り具６１の素材は任意でよく、例えばプラスチック製、金属製、木製等としてよい。
【００３０】
上記した構成のゴミ収容器１０Ａの場合、本体１１Ａのゴミ投入口１３Ａを、人が屈まなくてもすむ高さの位置（例えば、床面より１ｍ上方の位置）の壁面６部分に掛けておけば、人は楽にゴミＧを本体１１Ａ内に投入することができる。そして、ゴミ収容器１０Ａにある程度のゴミＧが溜まった場合には、当該本体１１Ａを壁面６から外して吊り具６１を手で持って所定のゴミ捨て場（図示省略）に持ってゆく。そして、図１２に示すように、吊り具６１を片方の手Ｈ１で持ちながら、当該本体１１Ａの底部１７の指掛け部１８をもう一方の手Ｈ２で保持して当該本体１１Ａを引っくり返す（すなわち、ゴミ投入口１３Ａが糸尻１９よりも下方になるようにする）。これにより、本体１１Ａ内に溜ったゴミＧは、ゴミ投入口１３Ａを介して所定のゴミ捨て場に向かって落下することになる（すなわち、排出されることになる）。ゴミ出し中、本体１１Ａからのゴミの出が悪くなった場合には、指掛け部１８を持つ手Ｈ２を上下に振るなどすればゴミＧの出を再び良くすることができる。手を本体１１Ａ内へ突っ込んでゴミの出を良くするような、不衛生なことをしないですむ。この際、図１３に示すように、指掛け部１８だけを持ってゴミ出しを行うことができるが、もう一方の手Ｈ１で吊り具６１を持っていれば、より一段と安定して本体１１Ａを支持してゴミを排出することができる。なお、仮に本体１１Ａを床面においた場合でも、当該指掛け部１８は床面に接触しないので、指掛け部１８を保持しても人の指は汚れない。
【図面の簡単な説明】
【００３１】
【図１】第１の実施形態に係るゴミ収容器を説明するための分解斜視図である。
【図２】底板の動作を説明するための図である。
【図３】本ゴミ収容器を壁面に掛けた状態を示す図である。
【図４】第１本体の背面の穴を壁面側の釘と係合させる様子を示す図である。
【図５】底板を開けてゴミを排出する様子を示す図である。
【図６】第２の実施形態に係るゴミ収容器を説明するための斜視図である。
【図７】本体の底部図である。
【図８】本体の糸尻と指掛け部を説明するための一部を省略した縦断面図である。
【図９】ゴミ収容器を壁面に掛けた状態を示す図である。
【図１０】本体の変形例（１）を説明するための図である。
【図１１】本体の変形例（１）を説明するための図である。
【図１２】ゴミの排出を説明するための図である。
【図１３】ゴミの排出を説明するための図である。
【図１４】指掛け部の変形例を示す図である。
【符号の説明】
【００３２】
５    建物
６  壁面
１０    ゴミ収容器
１０Ａ  ゴミ収容器
１１    第１本体
１１Ａ  本体
１１ｂ  背面
１１ｓ  側面
１２  側面
１３  ゴミ投入口
１３Ａ  ゴミ投入口
１４  底面
１５  穴（本体側係止部材）
１７  底部
１８  指う掛け部
１９  糸尻
２１    第２本体
２２    上部開口部
２３  平面ファスナ
２４  下部開口部
２５  底枠
２６  蝶番（ヒンジ）
２７    底板
２８  平面ファスナ
５１    釘（固定係止部材）
６１  吊り具
６２  ヒンジ
７１  蓋
７５  フック
【図１】
2009096636.tif 000003
【図２】
2009096636.tif 000004
【図３】
2009096636.tif 000005
【図４】
2009096636.tif 000006
【図５】
2009096636.tif 000007
【図６】
2009096636.tif 000008
【図７】
2009096636.tif 000009
【図８】
2009096636.tif 000010
【図９】
2009096636.tif 000011
【図１０】
2009096636.tif 000012
【図１１】
2009096636.tif 000013
【図１２】
2009096636.tif 000014
【図１３】
2009096636.tif 000015
【図１４】
2009096636.tif 000016